Podtech/llm-jp-corpus-v4-ja_patent huggingface dataset:
(57)【要約】【課題】  扇風機には埃を防ぐ装置は付いていないので、埃の侵入を防ぐ事と、扇風機の掃除を簡単にする事が出来る扇風機用防塵ネットを提供する。【解決手段】  扇風機のファンガード背面からモーター部を約２ｍｍ四方の穴を持つ柔らかいネットで覆い、埃の侵入を防ぐと同時に、扇風機の掃除では、ネットを洗うか取り替えるだけで簡単に出来る。【選択図】図１
0003120656.tif 000002
【実用新案登録請求の範囲】
【請求項１】
扇風機ファンガード背面とモーター部を覆う袋状の、約２ｍｍ四方の穴をもつ柔らかいネットと、それを取り付ける為のベルトで構成する、扇風機使用時の埃の侵入を防ぐ為の扇風機用防塵ネット。
【考案の詳細な説明】
【技術分野】
【０００１】  本考案は、扇風機に取り付ける防塵ネットに関する。
【背景技術】
【０００２】  従来の扇風機には、主に埃を防ぐ装置は付いていない。
【考案の開示】
【考案が解決しようとする課題】
【０００３】  しかし、これでは、扇風機に埃が付着・蓄積するする上、掃除では一々分解して掃除しなければならず面倒である。
【課題を解決するための手段】
【０００４】  そこで、扇風機のファンガード背面とモーター部を、約２ｍｍ四方の穴を持つ柔らかい袋状の扇風機用防塵ネットで覆い、埃の侵入を防ぐと同時に、扇風機用防塵ネットを簡単に取り外せるようにする。
【考案の効果】
【０００５】▲１▼扇風機の使用時に、背面から侵入する埃を扇風機用防塵ネットで防いで、埃による扇風機の汚れを軽減する。
▲２▼扇風機の掃除をする時、一々分解しなくても、扇風機用防塵ネットを洗うか、取り替えるだけで掃除が簡単に出来る。
▲３▼扇風機使用中では、風圧を利用して空気中の埃を扇風機背面に集塵する効果も得られる。
【考案を実施するための最良の形態】
【０００６】  本考案に係る扇風機用防塵ネットは、図１に示すように、扇風機のファンガードの背面から、モーター部分も含めて約２ｍｍ四方の穴を持つ、柔らかい袋状のネットをベルトに取り付けて覆い、このネットは取り外しが簡単に出来るようにする。
【図面の簡単な説明】
【０００７】
【図１】  本考案に係る扇風機用防塵ネットの、使用時の全体図である。
【図２】  本考案に係る扇風機用防塵ネットと取り付けベルトである。
【符号の説明】
【０００８】  １  扇風機用防塵ネット
２  取付ベルト
【図１】
0003120656.tif 000003
【図２】
0003120656.tif 000004
(57)【要約】【課題】宿泊客の興味を引く記事を掲載したビジネスホテル等の客室誌を廉価に提供することを課題とする。【解決手段】頁１には出版社の雑誌・書籍からの転載記事挿入欄２と転載記事掲載雑誌・書籍名記入欄７を設け、頁３には転載記事掲載雑誌・書籍の紹介欄３乃至表紙頁５には転載記事掲載雑誌・書籍の広告欄８を設けたホテル等の客室誌【選択図】図１
0003120655.tif 000002
【実用新案登録請求の範囲】
【請求項１】
所定頁には出版社の雑誌・書籍からの転載記事挿入欄と転載記事掲載雑誌・書籍名記入欄を設け、他の所定頁には転載記事掲載雑誌・書籍の紹介欄乃至広告欄を設けたことを特徴とするホテル等の客室誌。
【請求項２】
挿入欄には出版社から転載承諾を得た記事をそのまま転載した請求項１記載のホテル等の客室誌。
【請求項３】
記事の全てを雑誌・書籍の転載記事で構成した請求項１記載のホテル等の客室誌。
【考案の詳細な説明】
【技術分野】
【０００１】
この考案は、ホテル等の客室に備える客室誌に関するものである。
【背景技術】
【０００２】
従来情報誌としては、その目的に応じて雑誌の主な内容の概要を簡単に把握できるようにしたもの（登録実用新案第3004244号）、販売機会の拡大を可能としたもの（登録実用新案第3081884号）、効率的に顧客サービスの提供を行えるようにしたもの（特開2004-314370）、自動車の車種を決めると同時にその車種を購入する販売店を選定するのに適した掲載形式の自動車情報誌（特開2004-351920）等が提案されている。
【０００３】
一方、ホテル等の客室には宿泊客に手軽に楽しい情報を提供するための客室誌が備えられていることが多い。
【特許文献１】登録実用新案第3004244号、登録実用新案第3081884号、特開2004-314370、特開2004-351920
【考案の開示】
【考案が解決しようとする課題】
【０００４】
しかし、これらの客室誌には宿泊客が興味を引かないホテルの宣伝広告等を掲載したものが多く、宿泊客が興味を引く記事は皆無であった。
【０００５】
一方、出版社の発行する雑誌・書籍のように顧客の興味を引くような記事を掲載するには編集に多くの費用と労力を必要とする。
【０００６】
そこで、この考案は宿泊客が楽しく読めてときどき役に立つ情報を掲載した客室誌を簡易に提供することを目的とする。
【課題を解決するための手段】
【０００７】
この考案は、上記実情に鑑み、所定頁には出版社の雑誌・書籍からの転載記事挿入欄と転載記事掲載雑誌・書籍名記入欄を設け、他の所定頁には転載記事掲載雑誌・書籍の紹介欄乃至広告欄を設けたホテル等の客室誌を提供するものである。
【０００８】
この考案に係わる客室誌では、編集スタッフが市販の雑誌・書籍から選択してその出版社から承諾を得た記事をそのまま挿入欄に転載すると共に、転載記事掲載雑誌・書籍の紹介欄乃至広告欄を設けてある。
【０００９】
即ち、この考案では出版社から転載承諾を得た市販の雑誌・書籍の記事の一文を抜粋するのでなく、転載承諾を得た記事に手を加えずにそのまま挿入欄に転載し、しかも記事の全てを転載記事で構成するため、宿泊客に楽しく、且つ時には役に立つ情報を提供でき、宿泊客にはこの考案に係わる客室誌に出会うことにより旅の楽しみを向上させるとができる。
【００１０】
また、この考案では出版社には掲載雑誌・書籍の紹介欄乃至広告欄を設けて、当該雑誌・書籍の紹介・広告が行われるため、これら雑誌・書籍の転載料と広告宣伝料と相殺され、結果的にこの考案に係わる客室誌の発行を廉価に行うことができるのである。
【考案の効果】
【００１１】
したがって、この考案ではホテルの広告宣伝媒体としての色彩が無く、宿泊客の興味を引く記事を主体としたホテル等の客室誌を廉価に提供できる。
【考案を実施するための最良の形態】
【００１２】
所定頁には出版社の雑誌・書籍からの転載記事挿入欄と転載記事掲載雑誌・書籍名記入欄を設け、他の所定頁には転載記事掲載雑誌・書籍の紹介欄乃至広告欄を設けたことを特徴とするホテル等の客室誌。
【実施例１】
【００１３】
以下、この考案を図示の実施例に基づいて詳細に説明すると、１はこの考案に係わるビジネスホテルの客室誌における転載記事の挿入欄２を設けた頁、３は転載記事掲載雑誌の紹介欄４を設けた頁、５は表紙頁、６は目次頁を示す。
【００１４】
挿入欄２には出版社の雑誌・書籍の転載承諾を得た記事に何らの手を加えることなく、写真やレイアウトもオリジナルのまま挿入され、挿入欄２の上部には転載記事掲載雑誌・書籍名記入欄７が設けられ、ここには挿入欄２に挿入された記事の雑誌・書籍名が記入される。
【００１５】
また、紹介欄４には転載を受けた雑誌・書籍の紹介記事を載せ、更に表紙頁５には転載を受けた雑誌・書籍の広告欄８が設けられる。
【００１６】
なお、目次頁６には挿入欄２の転載記事の簡単な内容と転載雑誌・書籍名を記載した見出し欄９，…が設けられる。
【００１７】
以上の構成において、出版社から転載承諾を得た市販の雑誌・書籍の記事の一文を抜粋するのでなく、転載承諾を得た記事に手を加えずにそのまま挿入欄２に転載し、しかも記事の全てを転載記事で構成するため、宿泊客に楽しく、且つ時には役に立つ情報を提供できる。
【００１８】
また、この考案では出版社には掲載雑誌・書籍の紹介欄４乃至広告欄８を設けて、当該雑誌・書籍の紹介・広告が行われるため、これら雑誌・書籍の転載料と広告宣伝料と相殺され、結果的にこの考案に係わる客室誌の発行を廉価に行うことができるのである。
【産業上の利用可能性】
【００１９】
以上要するに、この考案によれば宿泊客の興味を引く記事を掲載したビジネスホテル等の客室誌を廉価に提供することができる。
【図面の簡単な説明】
【００２０】
【図１】この考案に係わるビジネスホテルの客室誌における転載記事の挿入欄を設けた頁を示す斜視図
【図２】同上の実施例において転載記事掲載雑誌・書籍の紹介欄を設けた頁の斜視図
【図３】同上の実施例において表紙頁の斜視図
【図４】同上の実施例において目次頁の斜視図
【符号の説明】
【００２１】
１は転載記事の挿入欄を設けた頁
２は転載記事の挿入欄
３は転載記事掲載雑誌・書籍の紹介欄を設けた頁
４は転載記事掲載雑誌・書籍の紹介欄
５は表紙頁
６は目次頁
７は転載記事掲載雑誌・書籍名記入欄
８は転載記事掲載雑誌・書籍の広告欄
９，…は見出し欄
【図１】
0003120655.tif 000003
【図２】
0003120655.tif 000004
【図３】
0003120655.tif 000005
【図４】
0003120655.tif 000006
【手続補正書】
【提出日】平成18年2月8日(2006.2.8)
【手続補正２】
【補正対象書類名】実用新案登録請求の範囲
【補正対象項目名】全文
【補正方法】変更
【補正の内容】
【実用新案登録請求の範囲】
【請求項１】
所定の見開き頁には出版社の雑誌・書籍からの転載記事挿入欄を設けるとともに、該転載記事挿入欄外には転載記事掲載雑誌・書籍名記入欄を設け、更に他の所定頁には転載記事掲載雑誌・書籍の紹介欄乃至広告欄を設けたことを特徴とするホテル等の客室誌。
(57)【要約】      （修正有）【課題】サッカー愛好者向けの貯金箱であって、ワールドカップ観戦の旅費を作るためコツコツと貯金することを第１の目的とした貯金箱の提供。【解決手段】サッカーボールを形成する１片に硬貨投入口Ｋを設け、全体を木製又はプラスチック製とし、木製の場合はボールを形成する小片の木目を考え、プラスチック製の場合は色や柄を考えて構成し、記念品として、置き物としてワールドカップの周期に限らず、永い年月でも使用できるようにする。【選択図】図１
0003120653.tif 000002
【実用新案登録請求の範囲】
【請求項１】
３２面体によって形成されるサッカーボールＡの一面に硬貨投入口Ｋを設け、全体を木製とし、異なる木目の小片Ｂを合せて装飾的に構成したサッカーボール型貯金箱。
【請求項２】
全体をプラスチック製とし、継ぎ合せる小片Ｂを異なる色柄或は模様で着色した請求項１に記載のサッカーボール型貯金箱。
【考案の詳細な説明】
【技術分野】
【０００１】
３２面体からなるサッカーボール型貯金箱に関する。
【背景技術】
【０００２】
世界的に人気のあるサッカー競技には色々なグッズが数多く市販されている。その中でも頂点に立つワールドカップの観戦は夢のような話であり、しかも４年毎に行われ、会場も世界中のどの場所で行われるかは特定していない。前もって開催地が決っていても遠方であれば旅費等に多額の金額を準備する必要がある。
【特許文献１】特開平１０−２３４４４６号公報
【考案の開示】
【考案が解決しようとする課題】
【０００３】
置き物を兼ねた貯金箱は各種市販されている。特に本考案は、サッカー愛好者が、ワールドカップを観戦するという目的で用いる貯金箱であるため、全体をサッカーボール型とし、少なくともワールドカップの開催年に合せて４年間はボールをそのままにして開けることのないように大事にコツコツと貯金に励むものである。
【課題を解決するための手段】
【０００４】
考案者は、サッカー愛好者としてワールドカップ観戦の旅費として貯金することを考え本考案に到達したもので、本考案はサッカーボール型とし、このボールの一面に硬貨投入口Ｋを設けることとし、ボールを形成する六角・五角の小片Ｂを接合する。
【０００５】
このボール型の貯金箱Ａは４年間又はそれ以上保存するもので、全体として木製或はプラスチック製とし、置物のように飾るために木製の場合は、木目を組合せて美しく作製する。またプラスチック製の場合は、色柄、模様を付した小片Ｂを組合せて美しく仕上げる。
【考案の効果】
【０００６】
上述のように本考案のサッカーボール型の貯金箱は、サッカーのワールドカップ観戦を第１の目的とするものであるが、これに限ることなく、サッカー愛好者へのプレゼント品として、またメッセージを書いて記念品として多目的に使用できるという貯金を兼ねた効果を奏する。
【実施例】
【０００７】
添付図面により本考案を説明すると、図はサッカーボール型の貯金箱Ａであって、サッカーボールのように六角・五角の小片Ｂ３２片によって組合されて全体を構成する。そしてこの六角形の１小片に硬貨投入口Ｋを設ける。したがってこの対向する六角形の小片を図示していないが開口できるように形成する。
【０００８】
貯金箱全体は木製あるいはプラスチック製とし、木製の場合は木目を考えながら組合せて形成し、プラスチック製の場合は色や図柄を組合せて美しく形成する。
【０００９】
サッカーボールＡの寸法は大小様々できるが、直径１０〜２０ｃｍ位が適当であり、ワールドカップ観戦を夢見てコツコツ貯金することによって４年間貯金することによって、ワールドカップ開催地への旅費を貯金することができる。
【産業上の利用可能性】
【００１０】
本考案のサッカーボール型の貯金箱は、前述のように見た目にも美しく仕上げてあるため、単なる貯金箱のみでなく、例えばスポーツ少年団の記念品として子供達が箱の面に寄せ書きをして監督・コーチにプレゼントしたり、仲間の結婚式の会場に置いてメッセージを記載して募金を集めたりすることができ、利用価値は大である。
【図面の簡単な説明】
【００１１】
【図１】サッカーボール型貯金箱の全体図
【符号の説明】
【００１２】
Ａ  サッカーボール
Ｂ  サッカーボールを形成する六角・五角の小片
Ｋ  硬貨投入口
【図１】
0003120653.tif 000003
(57)【要約】      （修正有）【課題】表紙が薄い重い本や、薄い本などを本棚に立てておくとき、本の開く側が沈んでしまい、倒れてしまうという問題点を解決する。【解決手段】本に突起部２を有する三角形状の本体１を装着する。【選択図】図３
0003120642.tif 000002
【実用新案登録請求の範囲】
【請求項１】
本体１の形状を直角三角形にすることと、突起部２を付けたところ。
【考案の詳細な説明】
【考案の開示】
【考案が解決しようとする課題】
【０００１】表紙が薄い重い本や、薄い本などを本棚に立てておくとき、本の開く側が沈んでしまい、倒れてしまうという問題点があった。
【課題を解決するための手段】
【０００２】はりがねを直角三角形状にしたものを本に挟むことで解決した。
【考案の効果】
【０００３】装着が簡単で強度も有り、本をきれいに立てかけることができる。
【考案を実施するための最良の形態】
【実施例】三角形の直角部分を持って、三角形を本の中ほどに下から挟み込み、三角形の１辺と突起部で本の背を挟むように装着する。装着したらそのまま本棚に立てればよい。（参考図  図３）
【図面の簡単な説明】
【図１】本体を斜め上方から見た立体図である。
【図２】本体を正面から見た平面図である。
【図３】本体の使用方法を示す立体図である。
【符号の説明】
１  本体（直径２ｍｍのはりがね使用）
２  突起部（本の背を固定するためのもの）
３  本
４  本の背
【図１】
0003120642.tif 000003
【図２】
0003120642.tif 000004
【図３】
0003120642.tif 000005
【手続補正書】
【提出日】平成18年1月6日(2006.1.6)
【手続補正１】
【補正対象書類名】実用新案登録請求の範囲
【補正対象項目名】全文
【補正方法】変更
【補正の内容】
【実用新案登録請求の範囲】
【請求項１】
本体１の形状を直角三角形にすることと、突起部２を付けた本立て。
(57)【要約】      （修正有）【課題】餡に漢方食材である蓮の胚芽を混入することにより、和菓子類を楽しむ場合においても漢方食材の利点を活用する和菓子類を提供する。【解決手段】粉末にした蓮の胚芽を、餡を練り上げる工程及び出来上がった餡に混入させることにより製造した和菓子類である。【選択図】図１
0003120644.tif 000002
【実用新案登録請求の範囲】
【請求項１】
餡に蓮の胚芽の粉末を混入したことを特徴とする和菓子類。
【考案の詳細な説明】
【技術分野】
【０００１】この考案は、日本で今まで食材としてあまり知られていない漢方食材である蓮の胚芽の粉末を、和菓子に広く利用される餡に混入して製造した和菓子類である。
【背景技術】
【０００２】餡には加工程度により生餡、練り餡、乾燥餡があり、原料等により小豆餡、赤餡、白餡、かぼちゃ餡、栗餡、芋餡等があり、製造方法によりこしあん、つぶし餡、煮崩し餡、粒餡等があり、また、砂糖使用量による練り餡の種類としては並餡、中割り強餡、上割り強餡等があるが、従来、これらの餡にゆず、胡桃及び栗等を混入したものはあったが、蓮の胚芽を混入した餡はなかった。
【考案の開示】
【考案が解決しようとする課題】
【０００３】この考案は、わが国に旧来より広く普及している和菓子類には餡を利用したものが多く、餡に漢方食材である蓮の胚芽の粉末を混入することにより、和菓子を楽しみながら漢方食材の利点を活用しようとするものである。
【課題を解決するための手段】
【０００４】（イ）粉末にした蓮の胚芽を、餡を練り上げる工程おいて混入させる。
（ロ）粉末にした蓮の胚芽を、出来上がった餡に混入させる。
本考案は、以上の構成のいづれかからなる蓮の胚芽を混入した和菓子類である。
【考案の効果】
【０００５】蓮の胚芽は、中国では古くから漢方食材として、夏の暑さを抑え、血圧を下げる働きがあるといわれている。又、蓮の胚芽のサッパリとしたほろ苦さにより独特の爽やかな風味を創りだしてくれる餡に蓮の胚芽を混入した和菓子類である。
【実施例】
【０００６】小豆を炊き上げ、砂糖、水飴等を加えて練り上げ餡を作る。
餡の中に寒天と乾燥させた蓮の胚芽を粉末状態にしたものを加え再度練り込み、成型し蓮の胚芽を混入した羊羹を製造する。図１に本実施例を示す。【０００７】小豆を炊き上げ、砂糖、水飴等を加えて練り上げ餡を作る。
餡の中に乾燥させた蓮の胚芽を粉末状態にしたものを加え再度練り込み、大福の皮に包み蓮の胚芽を混入した大福を製造する。図２に本実施例を示す。【０００８】小豆を炊き上げ、砂糖、水飴等及び乾燥させた蓮の胚芽を粉末状態にしたものを加えて練り上げ餡を作る。この餡でご飯を団子状にしたものの回りを包み蓮の胚芽を混入したおはぎを製造する。図３に本実施例を示す。
【産業上の利用可能性】
【０００９】餡に漢方食材である蓮の胚芽の粉末を混入することにより、漢方食材の利点を活用でき、安価で且つ簡単に製造することができる特性を併せ持つ和菓子類である。
【図面の簡単な説明】
【００１０】
【図１】本考案の羊羹における実施例を示した立面図である。
【図２】本考案の大福における実施例を示した立面図である。
【図３】本考案のおはぎにおける実施例を示した立面図である。
【図１】
0003120644.tif 000003
【図２】
0003120644.tif 000004
【図３】
0003120644.tif 000005
【手続補正書】
【提出日】平成18年1月18日(2006.1.18)
【手続補正１】
【補正対象書類名】実用新案登録請求の範囲
【補正対象項目名】全文
【補正方法】変更
【補正の内容】
【実用新案登録請求の範囲】
【請求項１】
餡に蓮の胚芽の粉末を混入したことを特徴とする羊羹類。
【請求項２】
餡に蓮の胚芽の粉末を混入したことを特徴とする大福及び饅頭類。
【請求項３】
餡に蓮の胚芽の粉末を混入したことを特徴とするおはぎ類。
【手続補正２】
【補正対象書類名】明細書
【補正対象項目名】全文
【補正方法】変更
【補正の内容】
【考案の詳細な説明】
【技術分野】
【０００１】この考案は、日本で今まで食材としてあまり知られていない漢方食材である蓮の胚芽の粉末を、和菓子に広く利用される餡に混入して製造した和菓子類である。
【背景技術】
【０００２】餡には加工程度により生餡、練り餡、乾燥餡があり、原料等により小豆餡、赤餡、白餡、かぼちゃ餡、栗餡、芋餡等があり、製造方法によりこしあん、つぶし餡、煮崩し餡、粒餡等があり、また、砂糖使用量による練り餡の種類としては並餡、中割り強餡、上割り強餡等があるが、従来、これらの餡にゆず、胡桃及び栗等を混入したものはあったが、蓮の胚芽を混入した餡はなかった。
【考案の開示】
【考案が解決しようとする課題】
【０００３】この考案は、わが国に旧来より広く普及している和菓子類には餡を利用したものが多く、餡に漢方食材である蓮の胚芽の粉末を混入することにより、和菓子を楽しみながら漢方食材の利点を活用しようとするものである。
【課題を解決するための手段】
【０００４】（イ）粉末にした蓮の胚芽を、餡を練り上げる工程おいて混入させる。
（ロ）粉末にした蓮の胚芽を、出来上がった餡に混入させる。
本考案は、以上の構成のいづれかからなる蓮の胚芽を混入した和菓子類である。
【考案の効果】
【０００５】蓮の胚芽は、中国では古くから漢方食材として、夏の暑さを抑え、血圧を下げる働きがあるといわれている。又、蓮の胚芽のサッパリとしたほろ苦さにより独特の爽やかな風味を創りだしてくれる餡に蓮の胚芽を混入した和菓子類である。
【実施例】
【０００６】以下、実施例により本考案の実施様態を具体的に説明する。ただし、本考案はこれらの実施例にその技術範囲が限定されるものではない。【０００７】小豆を炊き上げ、砂糖、水飴等を加えて練り上げ餡を作る。
餡の中に寒天と乾燥させた蓮の胚芽を粉末状態にしたものを加え再度練り込み、成型し蓮の胚芽を混入した羊羹を製造する。図１に本実施例を示す。【０００８】小豆を炊き上げ、砂糖、水飴等を加えて練り上げ餡を作る。
餡の中に乾燥させた蓮の胚芽を粉末状態にしたものを加え再度練り込み、大福及び饅頭の皮に包み蓮の胚芽を混入した大福及び饅頭を製造する。図２に大福に於ける本実施例を示す。【０００９】小豆を炊き上げ、砂糖、水飴等及び乾燥させた蓮の胚芽を粉末状態にしたものを加えて練り上げ餡を作る。この餡でご飯を団子状にしたものの回りを包み蓮の胚芽を混入したおはぎを製造する。図３に本実施例を示す。
【産業上の利用可能性】
【００１０】餡に漢方食材である蓮の胚芽の粉末を混入することにより、漢方食材の利点を活用でき、安価で且つ簡単に製造することができる特性を併せ持つ和菓子類である。
【図面の簡単な説明】
【００１１】
【図１】本考案の羊羹における実施例を示した立面図である。
【図２】本考案の大福における実施例を示した立面図である。
【図３】本考案のおはぎにおける実施例を示した立面図である。
(57)【要約】      （修正有）【課題】高所で作業するサクランボハウスで、ビニールシートを把持するパッカーを改良する。【解決手段】パッカー（１）の支点（３）と紐通し穴（４）との位置関係は、支点（３）と穴（４）から垂直を引いて、この間の距離Ｌを設けることによって、穴（４）の位置を決める。そして、この穴（４）に紐（５）を通して結び固定する。長い紐（５）に所定の間隔をおいてパッカー（１）を順次結び付けて図２に示されているサクランボハウスの組立てられたパイプＡに取付けてビニールシートＢを張設する。又ビニールシートＢを外すときはこのようにパッカーは紐（５）によって結び付けられ連続してあるため、紐（５）の片方を引くことによって支点（３）を基点としてパッカーの把持が外れて脱落する。【選択図】図１
0003120648.tif 000002
【実用新案登録請求の範囲】
【請求項１】
ビニールシートＢを被包してパイプＡを把持する断面半円形のパッカー本体（１）の一方端を上方斜めに延長して成形し、該延長部（２）に、パッカーの下端（３）との間に距離Ｌを設けて紐通し穴（４）を設けたことを特徴としたサクランボハウス用のパッカー。
【請求項２】
請求項１において、延長部（２）先端に指掛け用の曲げ形突起（６）を形成したサクランボハウス用のパッカー。
【考案の詳細な説明】
【技術分野】
【０００１】
本考案は、高さのあるサクランボハウス用のビニールシートをパイプに固定しているパッカーに関する。
【背景技術】
【０００２】
農業用ビニールハウスのビニールシートを支柱パイプに固定するパッカーについては各種の考案が開発されている各種の野菜や果実、特にブドウなどのビニールハウスの場合、ビニールハウスの高さが作業者の背丈程なのでビニールシートの張架も脚立を使用する程度で作業が行え、特に危険な作業ではない。
【特許文献１】特開平０７−１５５０６７
【考案の開示】
【考案が解決しようとする課題】
【０００３】
しかし、サクランボハウスの場合は、果樹全体を覆うためハウスの高さが５ｍ以上となり、ビニールシートの張架には高梯子をかけながらの作業となり危険が伴うものである。
【０００４】
特に最近では農業人口も高齢化が進み、高齢者の梯子での作業は危険で毎年転落事故が発生しているのが現況である。
【課題を解決するための手段】
【０００５】
考案者はこの点に鑑み永年研究を続けた結果本考案のパッカーに到達したものであって、本考案のパッカーは図示されるように、パッカー（１）を改良したもので、このパッカー（１）の一端に穴（３）を設け、この穴（３）に紐（５）を通して各パッカーを連結し、この紐（５）を引くことによって、この引く力がパッカー（１）の一端を支点（３）として作用し、さ程の力を要することなく次々とパッカー（１）がパイプＡから外れ、紐（５）によって連結したままパッカーの回収ができる。
【考案の効果】
【０００６】
上述のように、本考案のサクランボハウス用のパッカーは高所であっても梯子を使用することなく、紐の一方を引くことによって、パッカー（１）の取外しが可能となるため、高齢者での作業も危険がなく、能率良く安心して作業が行えるという画期的な作用効果を奏する。
【考案を実施するための最良の形態】
【０００７】
添付図面により本考案のパッカーを説明すると、図１はパッカー全体の形状を示す斜視図であって、図示しているように半円形に形成した直線部がパイプＡ及びパイプＡを被包したビニールシートＢを把持固定する。このパッカー（１）の一方端下部（３）を支点とする。この支点（３）と紐通し穴（４）との位置関係は、図示されているように、支点（３）と穴（４）から垂直を引いて、この間の距離Ｌを設けることによって、穴（４）の位置を決める。そして、この穴（４）に紐（５）を通して結び固定する。
【０００８】
そしてこのように長い紐（５）に所定の間隔をおいてパッカー（１）を順次結び付けて図２に示されているサクランボハウスの組立てられたパイプＡに取付けてビニールシートＢを張設する。又ビニールシートＢを外すときはこのようにパッカーは紐（５）によって結び付けられ連続してあるため、紐（５）の片方を引くことによって支点（３）を基点としてパッカーの把持が外れて脱落する。
【０００９】
更に本考案のパッカーは図示されているように、本体からの延長部（２）の先端に指掛け用の突出部（６）を曲げて形成して設けることによって、パッカー（１）の取外した紐（５）を使用することなく、片手で指を突出部（６）に掛けて引くことによって楽に外すことができる。このため従来のようにパッカー外し具のような専用の道具を使用する必用がない。
【実施例】
【００１０】
図２はサクランボビニールハウスの一部を示した構造図であって、半円形のカマボコ型の棟で高さが５ｍ位あるのが普通であり、ビニールシートの張設・取外しは高梯子に登って数人の作業者で行う。図は組まれたパイプＡの骨組にビニールシートＢがパッカー（１）によって張設されている。
【００１１】
このパッカー（１）は４０〜５０ｃｍ間隔でパイプＡに下方からビニールシートＢ端を把持して固定されている。そしてパッカー（１）は紐（５）によって連結されているので、パッカーの取外しに当っては紐（５）の一方を引くことによってパッカーはパイプＡの把持が外れて順次脱落する。また脱落したパッカー（１）は紐（５）で連結されていることによって散乱することがなく、パッカー（１）の取扱い片付けも容易である。
【産業上の利用可能性】
【００１２】
前述のように本案のパッカーを使用した場合は、危険の伴うサクランボハウスでの作業を、比較的簡易に、しかも安全に行うことができ、特に高齢者社会のサクランボ農家に貢献するところは大きい。
【図面の簡単な説明】
【００１３】
【図１】本考案のパッカーの全体を表わす斜視図
【図２】サクランボハウスで使用する実施例図
【符号の説明】
【００１４】
１  パッカー
２  突出部
３  支点
４  穴
５  紐
Ａ  支柱パイプ
Ｂ  ビニールシート
【図１】
0003120648.tif 000003
【図２】
0003120648.tif 000004
(57)【要約】      （修正有）【課題】サッカーをする時に使用するレガース（すね当て）は樹脂とウレタンで出来ており皮膚に密着して使用する為、汗やその素材により皮膚炎などの症状を起こす可能性がある。またすねを守るという目的で堅い素材でできている為装着感が悪い。その欠点を改善する。【解決手段】吸汗性、通気性、装着感に優れた皮膚に優しい素材により製作したパット２をレガース（すね当て）１と足３の間に入れることで皮膚への負担を無くし装着感を向上する。【選択図】図２
0003120647.tif 000002
【実用新案登録請求の範囲】
【請求項１】
レガース（すね当て）（１）に取り付けて使用する汗を吸収し装着感を改善するパット（２）
【考案の詳細な説明】
【考案の詳細な説明】
この考案は、サッカーをする時に装着するレガース（すね当て）に取り付け又ははさんで使用するパットである。現在市販使用されているレガースは樹脂とウレタン製で吸汗性は無く皮膚とレガースの間に汗が溜まり不快感を感じたり、皮膚炎などを起こす場合もあります。また、硬い素材の為装着感に不満を感じたり痛みを感じたりする事もあります。
本案はサッカーをしている自分の子供がレガースを当てることにより接触性皮膚炎に悩まされてその欠点を補う為に考案したものです。
吸汗性、通気性が良くまた皮膚に優しい素材で製作し図２のように使用すれば汗を吸い取り、不快感の解消及び接触性皮膚炎などの人体への悪影響を防ぎます。
このレガースパットの利点は
１、洗濯ができ清潔に保てる為皮膚に優しい
２、軟らかい素材の為装着感が良い
３、洗濯により繰り返し使用できる為コストも少なくてすむ
４、市販の様々なレガースに使用できる
という点です。
【図面の簡単な説明】
【図１】  本案の全体図
【図２】  本案の使用方法
【符号の説明】
（１）レガース（２）レガースパット（３）足（すね）
【図１】
0003120647.tif 000003
【図２】
0003120647.tif 000004
(57)【要約】      （修正有）【課題】冬季等の机上作業時における机上雰囲気温度の低下により生じる指先の冷感覚による作業効率の低下を改善し快適な作業環境を創出することを目的とした暖房機能をデスクマット、又はマウスパッドに付加する。【解決手段】デスクマット本体、又はマウスパッド１の内部にフィルムヒーター２ａからなる発熱部２を内蔵し、あるいはデスクマット本体、又はマウスパッドの表裏面に貼り付けられ、電源プラグ４から供給された電力が温度調節コントローラー３を介して発熱部２に通電し、発熱されて本体１を温め、机上の作業区域の雰囲気温度を上昇せしめ、又は指先の接触により冷感覚から温感覚へと好転して作業能率の向上に役立つものである。【選択図】図１
0003120650.tif 000002
【実用新案登録請求の範囲】
【請求項１】
事務机、勉強机、作業台等の上表面の保護に用いる樹脂製又は皮革製等のシート状マットにフィルムヒーターからなる発熱体をマット全面、又は一部に内蔵して脱着可能な温度調節コントローラーを設けて暖房機能を備えたところを特徴とする暖房機能付デスクマット、又はマウスパッド。
【請求項２】
前記本体の材質等により内部にフィルムヒーターを内蔵困難な場合においてマット表面又は裏面に貼り付けて暖房機能を備えたところを特徴とする暖房機能付デスクマット、又はマウスパッド。
【考案の詳細な説明】
【技術分野】
【０００１】
本考案は、本体にフィルムヒーターを内蔵又は貼り付けて暖房機能をつけたデスクマット、又はマウスパッドに関するものである。
【背景技術】
【０００２】
足部温熱用としてフィルムヒーター使用の温熱マットはあるが、机上での作業に使用するデスクマット、又はマウスパッドには指先温熱用暖房機能が付いているものはなかった。
【特許文献１】登録実用新案第３１０７６６４号
【考案の開示】
【考案が解決しようとする課題】
【０００３】
冬季における机上での作業は指先が冷たくなり長時間に及ぶＯＡ作業や、深夜に及ぶ勉学等において苦痛となっていた。従って、机上表面を保護するデスクマット、又はマウスパッドに暖房機能を備えることにより前述の欠点を解決しようとするものである。
【課題を解決するための手段】
【０００４】
第一考案では、樹脂内部にフィルムヒーターを挟み内蔵した状態で、又第二考案では樹脂、或いは皮革等の材質の表面に貼り付け、それぞれ通電することによりフィルムヒーターが発熱し、樹脂表面等に熱伝導し机上空間の暖房は勿論、デスクマット本体、又はマウスパッド本体を温暖化する効果を有するものである。
【考案の効果】
【０００５】
第一考案、または第二考案によれば、机上作業空間の温暖化により指先等の冷感覚は解消されてはいるが、更に温暖化を臨む時は直接デスクマット本体、又はマウスパッドに接触することにより、冷感覚は即座に解消できる。
【考案を実施するための最良の形態】
【０００６】
フィルムヒーターを内蔵、或いは貼り付けたデスクマット本体、又はマウスパッドを机上に敷き、使用者が家庭用電源から入力スイッチを入れて通電することにより温度調節コントローラーを介して温度調節を行い机上作業の間、快適な机上雰囲気温度の確保とデスクマット本体、又はマウスパッド本体に接触することにより即座に指先の冷感覚を解消し作業能率を上げる熱源の供給ができる。足部用の温暖マット等による熱源の代用も考えられるが、机上での作業の観点から当然利用し難く、本考案では本体の厚みを極力薄く製作可能であるため、作業の上で使用に違和感が出ない特徴を有するものである。
【実施例】
【０００７】
以下、添付図面に従って一実施例を説明する。１は耐久・耐熱性の樹脂等適宜素材にて一体化されたデスクマット本体、該本体１に内蔵されたフィルムヒーター２aで構成された発熱部２は、４のコンセント用プラグで通電されたのち脱着可能な温度調節コントローラー３により熱源の設定温度に応じた電流の供給を受け発熱して該本体１の材質温度を設定温度に調節する。
【０００８】
本考案の実施例は上述の如きであるが、夏季等の暖房を必要としない時期に於いて温度調節コントローラーを脱着することによりデスクマット、又はマウスパッドの本来の目的は何ら損なわれることはなく使用可能である。
【図面の簡単な説明】
【０００９】
【図１】本考案の暖房機能付デスクマットの一実施例を示す正面図である。
【図２】本考案の暖房機能付デスクマットの断面図である。
【符号の説明】
【００１０】
１    デスクマット本体
２    発熱部
２ａ  フィルムヒーター
３    温度調節コントローラー
４    電源プラグ
【図１】
0003120650.tif 000003
【図２】
0003120650.tif 000004
【手続補正書】
【提出日】平成18年1月26日(2006.1.26)
【手続補正１】
【補正対象書類名】実用新案登録請求の範囲
【補正対象項目名】全文
【補正方法】変更
【補正の内容】
【実用新案登録請求の範囲】
【請求項１】
事務机、勉強机、作業台等の上表面の保護に用いる樹脂製又は皮革製のシート状マットにフィルムヒーターからなる発熱体をマット全面、又は一部に内蔵して脱着可能な温度調節コントローラーを設けて暖房機能を備えたところを特徴とする暖房機能付デスクマット。
【請求項２】
事務机、勉強机、作業台等の上表面の保護に用いる樹脂製又は皮革製のシート状マットの表面又は裏面にフィルムヒーターからなる発熱体をマット全面、又は一部に貼り付けて暖房機能を備えたところを特徴とする暖房機能付デスクマット。
【請求項３】
事務机、勉強机、作業台等の上表面で用いる樹脂製又は皮革製のパッドにフィルムヒーターからなる発熱体をパッド全面、又は一部に内蔵して脱着可能な温度調節コントローラーを設けて暖房機能を備えたところを特徴とする暖房機能付マウスパッド。
【請求項４】
事務机、勉強机、作業台等の上表面で用いる樹脂製又は皮革製のパッドの表面又は裏面にフィルムヒーターからなる発熱体をマット全面、又は一部に貼り付けて暖房機能を備えたところを特徴とする暖房機能付マウスパッド。
(57)【要約】      （修正有）【課題】前卓に載せられている香炉・燭台・花瓶をおろして、下水板又は上板と呼ばれる板をいちいちとりはずさなくても水引又は下掛けを掛けられたのと同じ状態にすることが出来るようにして、前卓の下水板・上板をいちいちとりはずさなくても、前卓に打敷が掛けらるようにする。【解決手段】木材等によって組み立てられる枠を蝶番２によって連結させ、折り畳み・展開が自在ができるようになった枠体１に布地３を貼り付けて、上方から見てコ字状に展開した際に前卓４の三方を取り囲み、下水板又は上板と呼ばれる板５をいちいちとりはずさなくても水引又は下掛けを掛けられたのと同じ状態にすることが出来るようにして、そのコ字状に展開して前卓を取り囲んだ状態の枠体の上縁の三方に引っ掛けられるように仕立てられた打敷６を掛ける。【選択図】図４
0003120646.tif 000002
【実用新案登録請求の範囲】
【請求項１】
木材等によって組み立てられる枠を蝶番２によって連結させて折り畳み・展開が自在に出来るようになった枠体１に、布地３を貼り付けて、上方から見てコ字状に展開した際に前卓４の三方を取り囲むことにより、下水板又は上板と呼ばれる板５をとりはずして水引又は下掛けを掛けなくても、水引又は下掛けが掛けられたのと同様の状態に出来るようになった楽々水引。
【請求項２】
上方から見るとコ字状に展開し前卓４の三方を取り囲んだ布を貼った枠体１の上縁三方に引っ掛けられるように仕立てられ、下水板又は上板と呼ばれる板５をとりはずさなくても、前卓４に簡単に掛けられる打敷６。
【考案の詳細な説明】
【考案の詳細な発明】
【考案が解決しようとする課題】
【０００１】  従来、仏事で用いられる前卓に掛けられる布地である打敷や水引又は下掛けは、前卓の下水板又は上板と呼ばれる板の上に置かれている香炉・燭台・花瓶をいちいちおろし、下水板又は上板と呼ばれる板をとりはずさなくては掛けることが出来なかったのであり、とくに水引又は下掛けは木材等による枠を組み立てて前卓に取り付け、その上から布地を掛けて紐で結ぶ等しなくてはならず、大変な労力を必要とするという問題を有していた。
【課題を解決するための手段】
【０００２】  上記目的を達成するために、木材等によって組み立てられる枠を蝶番によって連結させ、折り畳み・展開が自在ができるようになった枠体に布地を貼り付けて、上方から見てコ字状に展開した際に前卓の三方を取り囲み、下水板又は上板と呼ばれる板をいちいちとりはずさなくても水引又は下掛けを掛けられたのと同じ状態にすることが出来るようにして、そのコ字状に展開して前卓を取り囲んだ状態の枠体の上縁の三方に引っ掛けられるように仕立てられた打敷を掛けることで、前卓の上の下水板・上板をいちいちとりはずさなくても、前卓に打敷が掛けられるようになるものを使用者に提供するようにした。
【考案の効果】
【０００３】  前卓の上に載せられてある香炉・燭台・花瓶をおろして、下水板・上板をとりはずさなくても打敷や水引・下掛けが、非力な人でも労力が少なく安全で簡単に掛けられるようになる。
【図面の簡単な説明】
【図１】蝶番によって連結された枠体がコ字状に展開状態の斜視図である。
【図２】蝶番によって連結された枠体が折り畳まれた図である。
【図３】前卓の斜視図である
【図４】コ字状に展開した枠体の上縁三方に打敷が引っ掛けられている図である。
【図５】コ字状に展開した枠体の三方の上縁に引っ掛けられるように仕立て上げられた打敷の図である。
【符号の説明】
１、  枠体
２、  蝶番
３、  布地
４、  前卓
５、  下水板又は上板
６、  打敷
【図１】
0003120646.tif 000003
【図２】
0003120646.tif 000004
【図３】
0003120646.tif 000005
【図４】
0003120646.tif 000006
【図５】
0003120646.tif 000007
(57)【要約】      （修正有）【課題】カレンダー紙片に切り取り線を設け、カレンダーとしての使用後にメモとして利用できるとともに、メモ使用時に広告効果を得ることができるカレンダーを提供する。【解決手段】裏面にメモ欄を有する複数枚のカレンダー紙片１と、前記カレンダー紙片を分割して分割紙片３とするための切り取り線６と、各分割紙片の一側辺部に設けられた綴じ込み穴８と、前記カレンダー紙片の裏面に前記分割紙片単位で設けられた広告印刷部と、カレンダー紙片の背面に配置されるとともにカレンダー紙片より露出する露出部を有する台紙２と、該台紙の露出部に設けられ前記より分割紙片の綴じ込み穴に対応して綴じこむことができる綴じ機構とより構成される。【選択図】図１
0003120649.tif 000002
【実用新案登録請求の範囲】
【請求項１】
裏面にメモ欄を有する複数枚のカレンダー紙片と、前記カレンダー紙片を分割して分割紙片とするための切り取り線と、各分割紙片の一側辺部に設けられた綴じ込み穴と、前記カレンダー紙片の裏面に前記分割紙片単位で設けられた広告印刷部と、カレンダー紙片の背面に配置されるとともにカレンダー紙片より露出する露出部を有する台紙と、該台紙の露出部に設けられ前記より分割紙片の綴じ込み穴に対応して綴じこむことができる綴じ機構とより構成され、前記広告印刷部は分割紙片を前記綴じ機構に綴じこんだ状態で正規認識位置となるように配置されたものであることを特徴とするメモ用紙機能付カレンダー。
【考案の詳細な説明】
【技術分野】
【０００１】  本考案は、カレンダー紙片に切り取り線を設け、カレンダーとしての使用後にメモとして利用できるとともに、メモ使用時に広告効果を得ることができるカレンダーに関するものである。
【背景技術】
【０００２】  従来、分割して複数の分割紙片にするとともに、各分割紙片の裏面をメモとして使用することができるカレンダーがあった。
【特許文献１】  特開２００３−２７６３６１
【考案の開示】
【考案が解決しようとする課題】
【０００３】  そのために、次のような問題があった。
裏面をメモとして使用した場合、表面の広告印刷が不可視状態となり広告効果が薄れる。
本考案は以上の欠点を解決するものである。
【課題を解決するための手段】
【０００４】  裏面にメモ欄を有する複数枚のカレンダー紙片と、前記カレンダー紙片を分割して分割紙片とするための切り取り線と、各分割紙片の一側辺部に設けられた綴じ込み穴と、前記カレンダー紙片の裏面に前記分割紙片単位で設けられた広告印刷部と、カレンダー紙片の背面に配置されるとともにカレンダー紙片より露出する露出部を有する台紙と、該台紙の露出部に設けられ前記より分割紙片の綴じ込み穴に対応して綴じこむことができる綴じ機構とより構成され、前記広告印刷部は分割紙片を前記綴じ機構に綴じこんだ状態で正規認識位置となるように配置されたものであることを特徴とする。
【考案の効果】
【０００５】  本考案を使用することで、メモとして使用する際にメモ欄と同一面かつ綴じ込みに対応した配置に広告印刷部があることで、より高い広告効果を得ることができる。
【考案を実施するための最良の形態】
【０００６】  以下、本考案の第一実施の形態について図１から図４を用いて説明する。
図１は本考案の斜視図、図２は本考案のカレンダー紙片説明図、図３は本考案の説明図、図４は本考案の綴じ込み機構説明図である。
ここでは月カレンダーを例として説明する。台紙２の全面にカレンダー紙片１が重ねられた状態で上辺を連結具で綴じこんだものである。連結具にはフック１０が設けられており壁に吊り下げられるようになっている。
図２に示すように、カレンダー紙片１の前面には各月の日付が印刷されている。また、前面下部には広告印刷部５が設けられている。
カレンダー紙片１には分割ミシン目６が設けられている。分割ミシン目６は上部の連結具部分を残して切り離すことができるようになっており、８つの分割紙片３に切り離すことができてようになっている。また、カレンダー紙片の左右には綴じ込み穴８設けられている。この綴じ込み穴は書く分割紙片３ごとに一対となるように設けられている。
また、各分割紙片単位でメモ欄４と広告印刷部５が設けられている。図においてメモ欄４は罫線が引かれているが、これに限定されるわけではなく、任意のメモが記載できるようになっている。広告印刷部５は分割紙片ごとに、綴じ込み穴８が上にくるように配置した状態で下部に正規の配置となるように印刷されたものである。
台紙２はカレンダー紙片１と同幅であり、下方に露出する露出部が延設された大きさをなっている。露出部には２対の綴じ込み片９を形成するように綴じ込み片形成用ミシン目７が左右に設けられている。この綴じ込み片形成用ミシン目７を切り離すことで綴じ込み片９となるようになっている。綴じ込み片９はカレンダー紙片１との連結部が各分割紙片３に設けられた綴じ込み穴８の幅に合わせたものであり、綴じ込み片９の幅は綴じ込み穴に挿入できるものである。
本考案は以上の構成よりなる。
以下、使用方法について説明する。
本考案は通常のカレンダーと同様に壁に吊り下げて当月のカレンダー紙片１を前面にくるようにする。月が替わった場合、図３に示すように最上部の分割ミシン目６で連結部から切り離し、残りの分割ミシン目６にそって全て切り離し、８つの分割紙片３とする。
切り離した分割片３はそのままメモ用紙として机の上などに積み重ねておいてもよいし、図４に示すように台紙２の綴じ込み片形成用ミシン目７を切り離し綴じ込み片９とし、綴じ込み片９を引き起こして分割紙片３の綴じ込み穴８に差し込んで台紙２に吊り下げておく。
また、メモとして使用するときは台紙２からはずし、メモ欄４に記入する。記入したものはそのまま机の上や壁などに貼ってもよいし、台紙２の綴じ込み片９を利用して吊るしてもよい。
台紙２には２対の綴じ込み片９があるので、一方を未使用の分割紙片用として、他方をメモを記載した分割紙片用として使用することが好ましい。
ここで、メモを記載する面に広告印刷部５があることで、記載時に広告が目に入るため利用者に対する広告効果を生む。また、メモとして台紙に吊り下げた状態にした場合、メモを見るたびに広告が目にはいる。ここで、メモは利用者が意識的に見るので、他の場所にある広告よりも高い広告効果を得ることができる。
綴じ具に関しては、上記事例のように台紙に一体に設けたものでもよいし、別体の綴じ具を台紙に取り付けたものであってもよい。
【図面の簡単な説明】
【０００７】
【図１】  本考案の斜視図
【図２】  本考案のカレンダー紙片説明図
【図３】  本考案の説明図
【図４】  本考案の綴じ込み機構説明図
【符号の説明】
【０００８】  １  カレンダー紙片、
２  台紙、
３  分割紙片、
４  メモ欄、
５  広告印刷欄、
６  分割ミシン目、
７  綴じ込み片形成用ミシン目、
８  綴じ穴、
９  綴じ込み片、
１０  フック
【図１】
0003120649.tif 000003
【図２】
0003120649.tif 000004
【図３】
0003120649.tif 000005
【図４】
0003120649.tif 000006
(57)【要約】      （修正有）【課題】カブト虫やクワガタ虫を安全に確実に採り、子供達に観察の楽しさを教える。【解決手段】本考案はそれまで全く存在しなかった「蓄光型長残光蛍光体を透明な容器に塗布した昆虫捕捉器」を夜に樹枝に吊り下げる。昆虫は同蛍光体の緑の光に引かれて飛来し、周辺を飛び交い、同捕捉器の底部に予め置いた昆虫ゼリーを求めて内部に入り込み出られなくなり、安全に確実に採取する事が出来る。【選択図】図２
0003120641.tif 000002
【実用新案登録請求の範囲】
【請求項１】
あらかじめ、カブト虫、クワガタ虫等（以下昆虫等と略記）が容器の中に入ると出られない構造になっている透明な容器に緑色系に光る蓄光型長残光蛍光体を塗布する事によって昆虫等が容器の周辺に集まり、容器の底の昆虫ゼリー等のエサを求めて容器内部に入り込み捕捉する事を特徴とする昆虫捕捉器で容器の形状及び容積に関係なく、請求の範囲とする。
【考案の詳細な説明】
【技術分野】
【０００１】    本考案はカブト虫、クワガタ虫等（以下昆虫等と略記）が透明な容器に緑色系の蓄光型長残光蛍光体を塗布し且つ容器内に予めエサを入れ、蛍光体に集った昆虫等を捕捉するものである。
【背景技術】
【０００２】  昆虫等は主に夜間にくぬぎ、こならの林で樹液を求めて飛び交う。昆虫等は夜間に電灯等の明るい光に集まる習性がある。
【考案の開示】
【考案が解決しようとする課題】
【０００３】  夜間に飛び交う昆虫を見つける事、くぬぎ、こならの木の樹液箇所を見つけ出すのは極めて困難で且つ樹液のある位置が高い箇所の場合危険を伴う。この様な危険から解放されて楽しく確実に昆虫を採取しようとするものである。
【課題を解決するための手段】
【０００４】  本考案は捕捉器に一度光を照射すると数時間から１０数時間の間、可視光を発する蓄光型長残光体を塗布する事によって、樹液のあるなしに関係なく、捕捉器を樹枝に吊り下げる事により自然に昆虫達が集まり、エサのある捕捉器の内部に入れ込み種種の昆虫を捕捉出来る。
【考案の効果】
【０００５】  従来の昆虫の採取は樹脂網や布製網に昆虫ゼリーを塗り樹本にくくりつけて置いて昆虫の飛来を待つか、夜間に林の中を懐中電灯で樹木１本１本を見て昆虫を見つけて長い網棒等で捕える方式が多かった。本考案はそれらとは全く異なる発想で今迄に存在しなかった昆虫捕捉器を考案した。樹木に同捕捉器を吊り下けるだけで蓄光型長残光蛍光体の光に昆虫が飛び集ってきて、エサの入っている容器内部に入るので途中で逃げられる事なく、確実に多くの昆虫を捕捉する事を可能とする。
【考案の実施するための最良の形態】
【０００６】  本昆虫捕捉器は形状、容積を問わず、透明な本体と上蓋部の中心に数センチの穴のあいだ下向きに傾斜のついた蓋を接着テープ等で３〜４箇所で固定した後、吊り穴に針金を通し、樹枝に掛け易い形状に曲げ最後にエサの昆虫ゼリー等を入れ、樹枝に吊り下げる事で昆虫を待つ、昆虫は一度、入ったら羽根が邪魔して出られなくなる。昆虫が入ったら、接着テープの一部をはがし、捕捉器を逆さにして丈夫な袋の中に昆虫を回収する。
【実施例】
【０００７】  以下、図面に従って一実施例を説明する。
本昆虫捕捉器は図１（平面図）及び図２（側面図）の構造からなり、蓄光型長残光蛍光体の光に昆虫が飛集する。図２の捕捉器の底部に置いたゼリー等のエサの臭いにつられて、３の穴あき傾斜蓋をすべり落ちて底部に落ちる。
同蛍光体は一度強い懐中電灯の可視光を１分位照射すると数時間程度、緑色に発光しその光に昆虫が次々に飛来し、ゼリーの臭いで次々と捕捉器底部に落ちる。７月末〜８月中旬のピーク時には一夜で数匹〜十数匹採れる事もあった。図３のＡはそのモデル図である。【０００８】  図３のＢは同じ樹木でＡとは約２ｍ離れた位置にＡと同一構造で昆虫ゼリーを入れた捕捉器を吊り下げた。Ａと異なる点は同捕捉器には蓄光型長残光蛍光体を全く塗布しなかった事である。Ａと同一時間吊り下げたが昆虫は全く入れらなかった。まれに１匹位入る事もあるが、この差は同蛍光体の有無による差によるものである。
【図面の簡単な説明】
【０００９】
【図１】昆虫捕捉器を上から見た平面図である
【図２】昆虫捕捉器の側面図である
【図３】昆虫捕捉器の樹枝にセットしたモデルである
【符号の説明】
【００１０】１昆虫捕捉器本体
２蓄光型長残光蛍光体塗布透明テープ
３穴あき傾斜蓋
４透明粘着テープ
５昆虫用エサ
６吊下げ用穴部
７空孔部
【図１】
0003120641.tif 000003
【図２】
0003120641.tif 000004
【図３】
0003120641.tif 000005
【手続補正書】
【提出日】平成18年1月18日(2006.1.18)
【手続補正１】
【補正対象書類名】実用新案登録請求の範囲
【補正対象項目名】全文
【補正方法】変更
【補正の内容】
【実用新案登録請求の範囲】
【請求項１】
透明な円筒容器に上部の開孔部が大きく、下部が小さい異径の円筒の蓋を取りつけることによって、一度昆虫が入ると出にくい構造の容器の底に、昆虫が好むエサを入れる部分を備え、且つ、夜間に容器周辺に昆虫を集める目的で、緑色系の蓄光型長残光蛍光体を塗布した事を特徴とする昆虫補択器。